(57)【要約】【課題】  消しゴムに玩具的要素を加え、複数のブロックを容易に着脱自在に嵌合連結して適宜な立体形状に組立可能で、かつ使用に際し、磨耗したブロックのみを交換するだけで元の適宜な立体形状に組み立てできる組み消しゴムを提供する。【解決手段】  角のない立体形状の消しゴムからなる複数のブロックが着脱自在に組み立てられる組み消しゴムである。複数のブロックのそれぞれには、穴部若しくは当該穴部に嵌合するために外部に向かって突出した突出部の少なくとも一方が形成されている。かつ、複数のブロックには、穴部が形成されたブロックと、突出部が形成されたブロックとが少なくとも混在している。複数のブロックのうち突出部が形成されたブロックと、穴部が形成された他のブロックとは、突出部を穴部に嵌合させることで着脱自在に連結される。【選択図】図１
2006264141.tif 000002
【特許請求の範囲】
【請求項１】
角のない立体形状の消しゴムからなる複数のブロックが着脱自在に組み立てられる組み消しゴムであって、
前記複数のブロックのそれぞれには、穴部若しくは当該穴部に嵌合するために外部に向かって突出した突出部の少なくとも一方が形成されていて、
前記穴部が形成されたブロックと、前記突出部が形成されたブロックとが少なくとも混在していて、
前記複数のブロックのうち少なくとも前記突出部が形成されたブロックと、少なくとも前記穴部が形成された他のブロックとは、前記突出部を前記穴部に嵌合させることで着脱自在に連結されることを特徴とする組み消しゴム。
【請求項２】
請求項１記載の組み消しゴムにおいて、
前記突出部が形成されたブロックには、前記穴部が少なくとも１つ形成されていることを特徴とする組み消しゴム。
【請求項３】
請求項１記載の組み消しゴムにおいて、
前記複数のブロックのうち、少なくとも１つのブロックには前記突出部のみが形成されていることを特徴とする組み消しゴム。
【請求項４】
請求項１記載の組み消しゴムにおいて、
前記複数のブロックのうち、少なくとも１つのブロックには前記穴部のみが形成されていることを特徴とする組み消しゴム。
【請求項５】
請求項１〜４の何れか一項に記載の組み消しゴムにおいて、
前記複数のブロックは、複数の種類の消しゴムから形成されていることを特徴とする組み消しゴム。
【発明の詳細な説明】
【技術分野】
【０００１】
本発明は、組み消しゴムに係り、特に消しゴムからなる複数のブロックを組み立自在な組み消しゴムに関する。
【背景技術】
【０００２】
従来から、機能或いは用途別に様々な消しゴムが提供されている。例えば鉛筆芯の筆跡を消去するために天然或いは合成ゴムを原料とした一般的な「消しゴム」、インクの筆跡を消去するために天然或いは合成ゴムに研磨剤を添加してなる「砂消しゴム」、紙面等に張り付いた修正テープを剥がすための加硫ゴムなどからなる「修正テープ剥がし具」等がある。
【０００３】
また、消しゴムを玩具化したものとして、消しゴムを基に様々な形状に形成し様々な色彩を施した複数のブロック（例えば断面を四角形状や多角形状とした平板状のブロック）を、平面的に組み合わせることにより適宜の平面形状に形成できるパズル状のものや植物や動物等の形状に擬態可能な組み消しゴムが提供されている。または、ブロックを立体的な動物や乗物等を構成するパーツに形成し、それらのブロックを組み合わせることで立体的な動物や乗物等の形状に形成可能な組み消しゴムが提供されている。
【０００４】
前者の平面形状的な組み消しゴムでは、複数の各々のブロックを隣接させるだけで、ブロック同士は連結されず、組み立てた状態で持ち運ぶことはできない。後者の立体形状の組み消しゴムは、実際に消しゴムとして使用すると、使用した部分は磨耗して形状が変化してしまう。元の形状に戻すには磨耗したパーツ部分のブロックを交換すればよいが、購入時点ではそうした代替ブロックは付属されておらず、新たに全体を購入しなければならない。こうしたことから従来の組み消しゴムは、実際の使用に即したものではなく、趣向品としての要素が高く、展示して保管しておくものであった。本発明者達はこうした事実に鑑み、現実に消しゴムを使用して磨耗しても、磨耗したブロックのみを交換することで元の適宜な立体形状に復元できる組み消しゴムを提供することを思い立った。
【０００５】
従来、２つの直方体状のブロックを着脱自在に嵌合連結して、１つの直方体に組み立ててなる組み消しゴムとして、例えば特許文献１に記載される「重合消しゴム」が提案されているが、この重合消しゴムは２個の方形状のブロックを蟻結合で重合して、１つの方形状の消しゴムを得るものであり、適宜な形状の立体に組み立てることができない。
【特許文献１】特開昭６２−８０６９３号公報
【発明の開示】
【発明が解決しようとする課題】
【０００６】
本発明の課題は、消しゴムに玩具的要素を加え、複数のブロックを容易に着脱自在に嵌合連結して適宜な立体形状に組立可能で、かつ使用に際し、磨耗したブロックのみを交換するだけで元の適宜な立体形状に組み立てできる組み消しゴムを提供することである。
【課題を解決するための手段】
【０００７】
請求項１記載の発明は、
角のない立体形状の消しゴムからなる複数のブロックが着脱自在に組み立てられる組み消しゴムであって、
前記複数のブロックのそれぞれには、穴部若しくは当該穴部に嵌合するために外部に向かって突出した突出部の少なくとも一方が形成されていて、
前記穴部が形成されたブロックと、前記突出部が形成されたブロックとが少なくとも混在していて、
前記複数のブロックのうち少なくとも前記突出部が形成されたブロックと、少なくとも前記穴部が形成された他のブロックとは、前記突出部を前記穴部に嵌合させることで着脱自在に連結されることを特徴としている。
【０００８】
請求項１記載の発明によれば、突出部が形成されたブロックと、穴部が形成された他のブロックとが、突出部を穴部に嵌合させることで着脱自在に連結されるために、各ブロックが消しゴムとして使用されて摩耗したとしても穴部や突出部が残っている限り、長期に亘って組み立てることが可能となる。また、摩耗により穴部や突出部がなくなったとしても、その穴部や突出部がなくなったブロックを交換すれば元の適宜な立体形状に組み立てることも可能となる。
【０００９】
請求項２記載の発明は、請求項１記載の組み消しゴムにおいて、
前記突出部が形成されたブロックには、前記穴部が少なくとも１つ形成されていることを特徴としている。
【００１０】
請求項２記載の発明によれば、突出部が形成されたブロックに穴部が少なくとも１つ形成されているので、組立後の形状を多様化することができる。これにより玩具的な興趣性を高めることができる。
【００１１】
請求項３記載の発明は、請求項１記載の組み消しゴムにおいて、
前記複数のブロックのうち、少なくとも１つのブロックには前記突出部のみが形成されていることを特徴としている。
【００１２】
請求項３記載の発明によれば、複数のブロックのうち、少なくとも１つのブロックには突出部のみが形成されているので、組立後の形状を多様化することができる。これにより玩具的な興趣性を高めることができる。
【００１３】
請求項４記載の発明は、請求項１記載の組み消しゴムにおいて、
前記複数のブロックのうち、少なくとも１つのブロックには前記穴部のみが形成されていることを特徴としている。
【００１４】
請求項４記載の発明によれば、複数のブロックのうち、少なくとも１つのブロックには穴部のみが形成されているので、組立後の形状を多様化することができる。これにより玩具的な興趣性を高めることができる。
【００１５】
請求項５記載の発明は、請求項１〜４の何れか一項に記載の組み消しゴムにおいて、
前記複数のブロックは、複数の種類の消しゴムから形成されていることを特徴としている。
【００１６】
請求項５記載の発明によれば、複数のブロックが複数の種類の消しゴムから形成されているので、各種類の消しゴムを個別に携帯しなくとも、組み立てた状態で携帯することができ、携帯性、利便性が高まることになる。
【発明の効果】
【００１７】
本発明によれば、突出部が形成されたブロックと、穴部が形成された他のブロックとが、着脱自在に連結されるために、各ブロックが消しゴムとして使用されて摩耗したとしても穴部や突出部が残っている限り、長期に亘って組み立てることが可能となる。また、摩耗により穴部や突出部がなくなったとしても、その穴部や突出部がなくなったブロックを交換すれば元の適宜な立体形状に組み立てることも可能となる。これにより長期に亘って玩具的な興趣性を維持することができる。
【発明を実施するための最良の形態】
【００１８】
［第１の実施の形態］
以下、図面を参照しながら第１の実施の形態に係る組み消しゴムについて説明する。ただし、発明の範囲は図示例に限定されない。図１は本実施形態に係る組み消しゴム１の概略構成を表す斜視図であり、図２は組み消しゴム１を構成するブロック２を表す上面図（ａ）と側面図（ｂ）である。
【００１９】
組み消しゴム１は、図１に示すように３つのブロック２を組み立てて成り立っている。これらのブロック２は消しゴムを素材として同形状に形成されており互いに着脱自在に連結されている。図２に示すようにブロック２には球体状の本体部３と、本体部３の側面から当該本体部３の中心に向かって窪んだ３つの穴部４と、図における本体部３の上部から上方に向かって突出する１つの突出部５とが設けられている。穴部４は、底部分が球面となる円柱形状に窪んでいる。突出部５は、穴部４に嵌合するために当該穴部４とほぼ同等の形状で突出している。ここで、突出部５の形状は完全に穴部４と同等の形状でなくとも嵌合可能な形状であれば如何なる形状であっても構わない。消しゴムは弾力性を有しているために僅かばかり突出部５が穴部４よりも大きい形状であっても、突出部５を穴部４に嵌合させることが可能である。
【００２０】
次に組み消しゴム１の作用について説明する。なお、以下の説明において３つのブロック２を第１ブロック２１、第２ブロック２２、第３ブロック２３と称す。
先ず、第１ブロック２１と第２ブロック２２とを連結する際には、第１ブロック２１の穴部４に第２ブロック２２の突出部５を嵌合させる。次に、第２ブロック２２と第３ブロック２３とを連結する際には、第２ブロック２２の穴部４に第３ブロック２３の突出部５を嵌合させる。これにより３つのブロック２が組み立てられる。
【００２１】
そして、分解する際には、第１ブロック２１から第２ブロック２２を引っ張って取り外し、第２ブロック２２から第３ブロック２３を引っ張って取り外せば、各ブロック２の連結が解除されることになる。このように、組み消しゴム１は各ブロック２を着脱自在に連結することで組み立てられている。
【００２２】
以上のように、この第１の実施の形態の組み消しゴム１によれば、突出部５が形成されたブロック２と、穴部４が形成された他のブロック２とが、突出部５を穴部２に嵌合させることで着脱自在に連結されるために、各ブロック２が消しゴムとして使用されて摩耗したとしても穴部４や突出部５が残っている限り、長期に亘って組み立てることが可能となる。また、摩耗により穴部４や突出部５がなくなったとしても、その穴部４や突出部５がなくなったブロック２を交換すれば元の適宜な立体形状に組み立てることも可能となる。
【００２３】
なお、本実施形態では、１つの突出部５に対して３つの穴部４が形成されているブロック２を例示して説明しているが、１つのブロック２に対する突出部５と穴部４との設置個数の関係は如何様であってもよい。例えば、１つのブロックに穴部４のみ形成されていてもよいし、突出部５のみが形成されていてもよいが、組み消しゴム１を構成するブロック全てが穴部４若しくは突出部５のみを有している場合であるとブロックの連結が不可能であるために、穴部４若しくは突出部５のみを有するブロックがある場合には、それらに連結するブロックを組み消しゴムに取り入れておくことが必要である。
【００２４】
［第２の実施の形態］
第１の実施の形態では、複数のブロック２の全てが同一形状である場合を例示して説明したが、この第２の実施の形態では、形状の異なる２種類のブロックを連結する場合について説明する。なお、以下の説明において第１の実施の形態と同一部分においては同一符号を付してその説明を省略する。
【００２５】
図３は本実施形態に係る組み消しゴム１０の概略構成を表す斜視図である。この組み消しゴム１０は、図３に示すように形状の異なる２種のブロック６，７を８つ組み立てて成り立っている。
【００２６】
図４は２種のブロック６，７のうち、１種のブロック６を表す斜視図であり、図５は残りの１種のブロック７を表す斜視図である。
ブロック６には図４に示すように球体状の本体部３と、本体部３の上下前後左右から外部に向けて突出する６つの突出部５とが設けられている。一方、ブロック７には図５に示すように球体状の本体部３と、本体部３の上下前後左右の側面から中心に向かって窪んだ６つの穴部４とが設けられている。
【００２７】
次に組み消しゴム１０の作用について説明する。なお、なお、以下の説明において８つのブロック６，７を第１ブロック６１、第２ブロック７２、第３ブロック６３、第４ブロック７４、第５ブロック６５、第６ブロック７６、第７ブロック６７、第８ブロック７８と称す。
【００２８】
先ず、第１ブロック６１と第２ブロック７２とを連結する際には、第２ブロック７２の後側の穴部４に第１ブロック６１の前側の突出部５を嵌合させる。次に、第２ブロック７２と第３ブロック６３とを連結する際には、第２ブロック７２の前側の穴部４に第３ブロック６３の後側の突出部５を嵌合させる。以下、順次第４ブロック７４の右側の穴部４に第３ブロック６３の左側の突出部５を、第４ブロック８４の左側の穴部４に第５ブロック６５の右側の突出部５を、第６ブロック７６の前側の穴部４に第５ブロック６５の後側の突出部５を、第６ブロック７６の後側の穴部４に第７ブロック６７の前側の突出部５を、第８ブロック７８の左側の穴部４に第７ブロック６７の右側の突出部５を、第８ブロック７８の右側の穴部４に第１ブロック６１の左側の突出部５を嵌合させる。これにより、８つのブロック６，７が環状に組み立てられる。
【００２９】
そして、分解する際には、各ブロック６，７を引っ張って取り外すことで。各ブロック６，７の連結が解除されることになる。このように、組み消しゴム１０は各ブロック６，７を着脱自在に連結することで組み立てられている。
【００３０】
［第３の実施の形態］
第２の実施の形態では、突出部５のみが形成されたブロック６と、穴部４のみが形成されたブロック７とからなる組み消しゴム１０を例示して説明したが、この第３の実施の形態では、突出部５のみが形成されたブロック６と、突出部５及び穴部４が形成されたブロック８とからなる組み消しゴム１００について説明する。なお、以下の説明において第１及び第２の実施の形態と同一部分においては同一符号を付してその説明を省略する。
【００３１】
図６は本実施形態に係る組み消しゴム１００の概略構成を表す斜視図である。この組み消しゴム１００は、図６に示すように形状の異なる２種のブロック６，８を８つ組み立てて成り立っている。
【００３２】
図７は２種のブロック６，８のうち、１種のブロック８を表す斜視図である。ブロック８には図７に示すように球体状の本体部３と、本体部３の上下から外部に向けて突出する２つの突出部５と、本体部３の左右前後の側面から中心に向かって窪んだ４つの穴部４とが設けられている。
【００３３】
次に組み消しゴム１００の作用について説明する。なお、なお、以下の説明において８つのブロック６，８を第１ブロック６１ａ、第２ブロック８２ａ、第３ブロック６３ａ、第４ブロック８４ａ、第５ブロック６５ａ、第６ブロック８６ａ、第７ブロック６７ａ、第８ブロック８８ａと称す。
【００３４】
先ず、第１ブロック６１ａと第２ブロック８２ａとを連結する際には、第２ブロック８２ａの後側の穴部４に第１ブロック６１ａの前側の突出部５を嵌合させる。次に、第２ブロック８２ａと第３ブロック６３ａとを連結する際には、第２ブロック８２ａの前側の穴部４に第３ブロック６３ａの後側の突出部５を嵌合させる。以下、順次第４ブロック８４ａの右側の穴部４に第３ブロック６３ａの左側の突出部５を、第４ブロック８４ａの左側の穴部４に第５ブロック６５ａの右側の突出部５を、第６ブロック８６ａの前側の穴部４に第５ブロック６５ａの後側の突出部５を、第６ブロック８６ａの後側の穴部４に第７ブロック６７ａの前側の突出部５を、第８ブロック８８ａの左側の穴部４に第７ブロック６７ａの右側の突出部５を、第８ブロック８８ａの右側の穴部４に第１ブロック６１ａの左側の突出部５を嵌合させる。これにより、８つのブロック６，８が環状に組み立てられる。
【００３５】
そして、分解する際には、各ブロック６，８を引っ張って取り外すことで、各ブロック６，８の連結が解除されることになる。このように、組み消しゴム１００は各ブロック６，８を着脱自在に連結することで組み立てられている。
【００３６】
［第４の実施の形態］
第３の実施の形態では、突出部５のみが形成されたブロック６と、突出部５及び穴部４が形成されたブロック８とからなる組み消しゴム１００を例示して説明したが、この第４の実施の形態では、穴部４のみが形成されたブロック７と、突出部５及び穴部４が形成されたブロック８とからなる組み消しゴム２００について説明する。なお、以下の説明において第１〜第３の実施の形態と同一部分においては同一符号を付してその説明を省略する。
【００３７】
図８は本実施形態に係る組み消しゴム２００の概略構成を表す斜視図である。この組み消しゴム２００は、図８に示すように形状の異なる２種のブロック７，８を３つ組み立てて成り立っていて、１つのブロック８を中心に２つのブロック７が連結されている。
【００３８】
次に組み消しゴム２００の作用について説明する。なお、なお、以下の説明において３つのブロック７，８を第１ブロック８１ｂ、第２ブロック７２ｂ、第３ブロック７３ｂと称す。
【００３９】
先ず、第１ブロック８１ｂと第２ブロック７２ｂとを連結する際には、突出部５が前後方向を向くように第１ブロック８１ｂを配置してから、第２ブロック７２ｂの後側の穴部４に第１ブロック８１ｂの前側の突出部５を嵌合させる。そして、第１ブロック８１ｂと第３ブロック７３ｂとを連結する際には、第３ブロック７３ｂの前側の穴部４に第１ブロック８１ｂの後側の突出部５を嵌合させる。これにより、３つのブロック７，８が直線状に組み立てられる。
そして、分解する際には、各ブロック７，８を引っ張って取り外すことで、各ブロック７，８の連結が解除されることになる。
【００４０】
［第５の実施の形態］
第１の実施の形態では、複数のブロック２の全てが同一形状である場合を例示して説明したが、この第５の実施の形態でもブロック２とは形状の異なる、本体部３の側面から当該本体部３の中心に向かって窪んだ４つの穴部４と、本体部３の上下から外部に向けて突出した２つの突出部５とが設けられたブロック８により組み消しゴムが構成される場合を例示して説明する。なお、以下の説明において第１〜第４の実施の形態と同一部分においては同一符号を付してその説明を省略する。
【００４１】
図９は本実施形態に係る組み消しゴム３００の概略構成を表す斜視図である。この組み消しゴム３００は、図９に示すように同一形状のブロック８を４つ組み立てて成り立っている。
【００４２】
次に組み消しゴム３００の作用について説明する。なお、なお、以下の説明において４つのブロック８を第１ブロック８１ｃ、第２ブロック８２ｃ、第３ブロック８３ｃ、第４ブロック８４ｃと称す。
【００４３】
先ず、第１ブロック８１ｃと第２ブロック８２ｃとを連結する際には、突出部５が前後方向を向くように第１ブロック８１ｃを配置するとともに、突出部５が左右方向を向くように第２ブロック８２ｃを配置してから、第２ブロック８２ｃの後側の穴部４に第１ブロック８１ｃの前側の突出部５を嵌合させる。次に、第２ブロック８２ｃと第３ブロック８３ｃとを連結する際には、突出部５が前後方向を向くように第１ブロック８３ｃを配置してから、第３ブロック８３ｃの右側の穴部４に第２ブロック８２ｃの左側の突出部５を嵌合させる。そして、第３ブロック８３ｃと第４ブロック８４ｃとを連結する際には、突出部５が左右方向を向くように第４ブロック８４ｃを配置してから、第４ブロック８４ｃの前側の穴部４に第３ブロック８３ｃの後側の突出部５を嵌合させる。最後に、第１ブロック８１ｃと第４ブロック８４ｃとを連結する際には、第１ブロック８１ｃの左側の穴部４に第４ブロック８４ｃの右側の突出部５を嵌合させる。これにより、４つのブロック８が環状に組み立てられる。
そして、分解する際には、各ブロック８を引っ張って取り外すことで、各ブロック８の連結が解除されることになる。
【００４４】
なお、本発明は上記実施形態に限らず、四方八方に拡げて連結して、適宜の立体形状に変更可能であるのは勿論である。
例えば、上記実施形態では、全てのブロック２，６，７，８の基準となる形状が球体である場合を例示して説明したが、ブロックの基準となる形状は角のない立体形状であれば如何なる形状であっても構わない。例えば、楕円球形状や、多面体の角を丸みを帯びさせた形状などが挙げられる。
また、第１〜第５の実施の形態では、各ブロック２，６，７，８の素材を消しゴムとしたが、ブロック２，６，７，８の素材は、こすることで摩耗する素材であれば如何なるものでもよく、例えば、一般的な消しゴム、砂消しゴム、修正テープ剥がし具などが挙げられる。組み消しゴムをなす各ブロックが複数の種類の消しゴムから形成されていれば、各種類の消しゴムを個別に携帯しなくとも、組み立てた状態で携帯することができ、携帯性、利便性が高まることになる。
また、複数のブロック２，６，７，８のそれぞれは、同一色でなくとも異色であっても構わない。
【図面の簡単な説明】
【００４５】
【図１】第１の実施の形態に係る組み消しゴムの概略構成を表す斜視図である。
【図２】図１の組み消しゴムを構成するブロックを表す上面図（ａ）と側面図（ｂ）である。
【図３】第２の実施の形態に係る組み消しゴムの概略構成を表す斜視図である。
【図４】図３の組み消しゴムを構成するブロックを表す斜視図である。
【図５】図３の組み消しゴムを構成するブロックを表す斜視図である。
【図６】第３の実施の形態に係る組み消しゴムの概略構成を表す斜視図である。
【図７】図６の組み消しゴムを構成するブロックを表す斜視図である。
【図８】第４の実施の形態に係る組み消しゴムの概略構成を表す斜視図である。
【図９】第５の実施の形態に係る組み消しゴムの概略構成を表す斜視図である。
【符号の説明】
【００４６】
１，１０，１００，２００，３００    組み消しゴム
２，６，７，８      ブロック
３      本体部
４      穴部
５      突出部
【図１】
2006264141.tif 000003
【図２】
2006264141.tif 000004
【図３】
2006264141.tif 000005
【図４】
2006264141.tif 000006
【図５】
2006264141.tif 000007
【図６】
2006264141.tif 000008
【図７】
2006264141.tif 000009
【図８】
2006264141.tif 000010
【図９】
2006264141.tif 000011